(57)【要約】【課題】支持部を斜め方向にして商品案内表示具を設置した場合であっても、ポップ表示部の傾きを容易に修正することが可能な商品案内表示具を提供することである。【解決手段】板状に形成されたポップ表示部１０と、該ポップ表示部１０を支持する支持部１２と、を備え、前記ポップ表示部１０は、前記支持部１２に対して平面方向に回転可能、かつ前後方向に揺動可能に設けられていることを特徴とする商品案内表示具である。【選択図】図３
2005266379.tif 000002
【特許請求の範囲】
【請求項１】
板状に形成されたポップ表示部と、該ポップ表示部を支持する支持部と、を備え、前記ポップ表示部は、前記支持部に対して平面方向に回転可能に設けられていることを特徴とする商品案内表示具。
【請求項２】
前記ポップ表示部は、さらに前記支持部に対して前後方向に揺動可能に設けられていることを特徴とする請求項１記載の商品案内表示具。
【発明の詳細な説明】
【技術分野】
【０００１】
本発明は、スーパーマーケットやデパートなどに陳列された商品の近傍に設置して、これら商品の案内情報が記載されたポップを表示する商品案内表示具に関する。
【背景技術】
【０００２】
従来から、スーパーマーケットやデパートなどにおいては、販売する商品の案内情報、例えば商品の内容、価格、品質などが記載されたポップを表示する商品案内表示具を陳列された商品の近傍に設置している。従来の商品案内表示具は、図６に示すように板状に形成されたポップ表示部６０と、ポップ表示部６０を支持する支持部６２と、を備えている。ポップ表示部６０は、上縁に形成された挿入口からポップ６４を挿入し、収容可能な収容部を備え、前面側には、収容されたポップ６４を外部から認識できるように透明なカバー部材が設けられている。また、支持部６２は、ベース板６６と、ベース板６６に立脚して設けられ、パイプ状に中空に形成された固定支柱６８と、先端側がポップ表示部６０に固定され、固定支柱６８に対して軸方向にスライド可能に設けられたスライド支柱７０と、を備えている（特許文献１及び２参照）。
【０００３】
【特許文献１】実開昭６３−２６８６５号公報
【特許文献２】特開平９−１６０９０号公報
【発明の開示】
【発明が解決しようとする課題】
【０００４】
しかしながら、商品案内表示具は、スペースの関係などから、支持部６２を垂直方向にして設置することができない場合があり、例えば支持部６２を斜め方向にして商品案内表示具を設置した場合、従来の商品案内表示具の場合はポップ表示部６０も斜めに傾いてしまい適切にポップ６４を表示することができないという問題がある。
【０００５】
この問題を解決するものとして、例えばポップ表示部６０と支持部６２をボールジョイントで連結したものを用いて、ポップ表示部６０の傾きを無くすことが考えられるが、このようにボールジョイントを用いたものは、ポップ表示部６０を支持部６２に対して３次元方向に回動することが可能であるので、ポップ６４の傾きを適切に修正するのは難しく、特に複数の商品案内表示具を並列させて設置する際にポップ６４を適切に整列させることができないという問題がある。また、複数の商品案内表示具について、それらの支持部６２を垂直方向にし、ポップ表示部６０を斜めして並列に設置したい場合もあるが、この場合もボールジョイントなどで連結したものでは、適切に整列させることが難しいという問題がある。
【０００６】
そこで、本発明は、支持部を斜め方向にして商品案内表示具を設置した場合であっても、ポップ表示部の傾きを容易に修正することが可能な商品案内表示具を提供することを目的とする。
【課題を解決するための手段】
【０００７】
以上の目的を達成するため、本発明は、板状に形成されたポップ表示部と、該ポップ表示部を支持する支持部と、を備え、前記ポップ表示部は、前記支持部に対して平面方向に回転可能に設けられていることを特徴とする商品案内表示具である。
【０００８】
以上のように本発明に係る商品案内表示具によれば、例えば支持部を斜め方向にして商品案内表示具を設置した場合であっても、ポップ表示具を支持部に対して平面方向に回転することによって容易にポップ表示部の傾きを修正することができる。また、例えば複数の商品案内表示具について、支持部を垂直方向にして、ポップ表示具を斜めに傾けた場合であっても、ポップ表示具を支持部に対して平面方向に回転することによって適切に整列させることができる。
【０００９】
本発明に係る商品案内表示具において、前記ポップ表示部は、前記支持部に対して前後方向に揺動可能に設けられていることが好ましく、このようにポップ表示部を前後方向に揺動可能に設けることによって、支持部が前後方向に傾いた状態で設置された場合であっても、容易にポップ表示具の傾きを修正することができる。
【発明の効果】
【００１０】
以上のように本発明に係る商品案内表示具によれば、ポップ表示部を支持部に対して平面方向に回転可能に設けることにより、支持部を斜め方向にして商品案内表示具を設置した場合であっても、ポップ表示部の傾きを容易に修正することが可能な商品案内表示具を提供することができる。
【発明を実施するための最良の形態】
【００１１】
次に、本発明に係る商品案内表示具の第１実施例について図面に基づいて説明する。図１は、第１実施例に係る商品案内表示具の正面図であり、図２は、その右側面図であり、図３は、図１のＩＩＩ−ＩＩＩ線に沿った断面図である。第１実施例に係る商品案内表示具は、板状に形成されたポップ表示部１０と、ポップ表示部１０を支持する支持部１２と、を備えている。
【００１２】
ポップ表示部１０は、長方形状に形成されたポップ表示部本体１４と、長方形の枠状に形成され、ポップ表示部本体１４の表面側の縁全域を覆うように設けられた枠部材１６と、を備えている。図３に示すようにポップ表示部本体１４の表面側の縁よりも若干内側には、表面側に突出するフランジ１４Ａが全域に亘って形成されており、ポップ表示部本体１４の裏面側中央には、支持部１２を取付可能な円状に形成された取付口１５が形成されている。取付口１５は、裏側方向に向かって先細りとなるテーパ状に突出しており、そのテーパ部の先端の内側には、表側に向かって突出するとともに、一端がテーパ部の先端に連続する断面逆Ｕ字状に形成された係合部１５Ａが周方向に等間隔をおいて複数設けられている。この係合部１５Ａの他端には、半径方向内側に突出する係合突起１５Ｂが形成されている。また、取付口１５のテーパ部の先端の裏面側には、後述する取付部３２の周縁が遊嵌可能な円状に形成された段差１５Ｃが全周に亘って設けられている。ポップ表示部本体１４のフランジ１４Ａによって囲まれた部分全域には、フランジ１４Ａに囲まれた部分全域がフラットに形成された表面板１８が設けられている。
【００１３】
枠部材１６には、裏面側に突出する外側フランジ１６Ａが全周に亘って形成されており、その外側フランジ１６Ａよりも内側には、同様に裏面側に突出する内側フランジ１６Ｂが全周に亘って形成されている。外側フランジ１６Ａは、その先端によってポップ表示部本体１４の縁の外側を覆うように形成されている。内側フランジ１６Ｂは、ポップ表示部本体１４のフランジ１４Ａよりも内側に位置し、その先端と表面板１８の表面との間隔が表示するポップＡとその表面側に配置される透明性の素材で構成されたカバー板Ｂの厚さよりも若干短くなるように形成されている。このように内側フランジ１６Ｂを形成することによって、枠部材１６の内側フランジ１６Ｂの先端と表面板１８によりポップＡとカバー板Ｂを挟持することができ、ポップＡをポップ表示部１０に収容することができる。また、枠部材１６の外側フランジ１６Ａの下側の先端には、ポップ表示部本体１４に対して枢結合されたヒンジ部２６が形成されており、枠部材１６の外側フランジ１６Ａの上側の先端には、ポップ表示部本体１４の裏面に係合可能な係合部２８が内側に突出している。したがって、枠部材１６をヒンジ部２６を中心として回動させることによって、図４に示すように枠部材１６を開口してポップＡを表面板１８上に配置可能な状態にすることができ、この状態でポップＡとカバー板Ｂを配置して、枠部材１６を回動させて枠部材１６を閉口状態にして係合部２８をポップ表示部本体１４に対して係合することによって、枠部材１６をポップ表示部本体１４に固定することができる。
【００１４】
支持部１２は、支持部１２の下端に設けられ、支持部１２を商品ディスプレイのパイプなどに固定可能なクリップ部３０と、ポップ表示部本体１４の取付口１５に取付可能な取付部３２と、クリップ部３０の上方に設けられ、パイプ状に中空に形成された固定支柱３４と、先端側が取付部３２に取り付けられ、下端側が固定支柱３４に対して軸方向にスライド可能に設けられたスライド支柱３６と、を備えている。固定支柱３４の下端部は、クリップ部３０に固定されており、上端部には、スライド可能なスライド支柱３６をロック可能なロックレバー３８が設けられている。スライド支柱３６の先端には、後述する取付部３２の突出部４０の嵌入孔４０Ａに嵌入可能な一対の突出軸３８が左右外方向に突出して設けられている。取付部３２は、円盤状に形成されており、裏面には、裏側に突出するとともに、スライド支柱３６の突出軸３８が嵌入可能な嵌入孔４０Ａが形成された一対の突出部４０が設けられている。また、取付部３２の表面側には、全周に亘って表側に突出する係合部４２が形成されており、係合部４２の先端には、半径方向外側に突出する係合突起４２Ａが全周に亘って形成されている。この取付部３２をポップ表示部本体１４の取付口１５に装着すると、取付部３２の係合部４２の係合突起４２Ａが取付口１５の係合部１５Ａの係合突起１５Ｂに係合し、断面逆Ｕ字状に形成された取付口１５の係合突起１５Ａの弾性力によって取付部３２を回転可能な状態で支持することができる。また、スライド支柱３６の突出軸３８が取付部３２の嵌入孔４０Ａに嵌入しているので、ポップ表示部１０は、支持部１２に対して前後方向に揺動することができる。さらに、ロックレバー３８を操作してロック状態を解除することによって、スライド支柱３６を固定支柱３４に対してスライドさせて支持部１２の高さを調整することができ、またスライド支柱３６を固定支柱３４に対して軸を中心に回転することができ、ポップ表示部１０の向きを変えることができる。
【００１５】
次に、本発明に係る商品案内表示具の第２実施例について図面に基づいて説明する。第２実施例に係る商品案内表示具は、図５及び６に示すように、固定支柱３４がベース板５０に立脚している点で第１実施例に係る商品案内表示具と異なる。この第２実施例に係る商品案内表示具のベース板５０には、例えばマグネットを設けても良い。また、図７に示すように第２実施例に係る商品案内表示具のポップ表示部１０の背面の左側には、縦方向に延び、ポップの短辺よりも若干長い挿入口５２が形成されており、この挿入口５２からポップＡと透明な素材で構成されたカバー板Ｂをポップ表示部１０内に挿入して収容することができる。
【図面の簡単な説明】
【００１６】
【図１】本発明に係る商品案内表示具の第１実施例の正面図である。
【図２】第１実施例に係る商品案内表示具の右側面図である。
【図３】図１のＩＩＩ−ＩＩＩ線に沿った断面図である。
【図４】第１実施例に係る商品案内表示具の使用状態を示す側斜視図である。
【図５】本発明に係る商品案内表示具の第２実施例の正面図である。
【図６】第２実施例に係る商品案内表示具の右側面図である。
【図７】第２実施例に係る商品案内表示具の使用状態を示す背面側斜視図である。
【図８】従来の商品案内表示具の斜視図である。
【符号の説明】
【００１７】
１０   ポップ表示部
１２   支持部
【図１】
2005266379.tif 000003
【図２】
2005266379.tif 000004
【図３】
2005266379.tif 000005
【図４】
2005266379.tif 000006
【図５】
2005266379.tif 000007
【図６】
2005266379.tif 000008
【図７】
2005266379.tif 000009
【図８】
2005266379.tif 000010